(57)【特許請求の範囲】
【請求項１】
船体又はプラットフォームの底部に固定されるアジマススラスターであって、
伝動機構を介して回転機構の下方に固定されるスラスターポッドを含み、
作動時、前記伝動機構はスラスターポッドを駆動してピッチングさせ、前記回転機構は、スラスターポッドを駆動して所定の角度まで水平回転させ、伝動機構は、スラスターポッドを駆動して所定の角度までピッチングすることで、船体又はプラットフォームに前後動、左右動、船首動、上下動、横動及び縦動のトルクを発生させ、前記伝動機構は、それぞれ前記回転機構内及び前記スラスターポッド内に設置される主動スプロケット又は従動スプロケット及びチェーンを含み、主動スプロケットはチェーンを介して従動スプロケットを駆動して回転させることで前記スラスターポッドのピッチング角度を変化させることを特徴とするアジマススラスター。
【請求項２】
前記回転機構は伸縮機構を介して船舶又はプラットフォームの底部に固定される、ことを特徴とする請求項１に記載のアジマススラスター。
【請求項３】
前記伸縮機構は油圧シリンダである、ことを特徴とする請求項２に記載のアジマススラスター。
【請求項４】
前記回転機構はリング歯車を有し、リング歯車には、前記リング歯車を駆動して回転させる複数の駆動歯車が設けられる、ことを特徴とする請求項１に記載のアジマススラスター。
【請求項５】
船体又はプラットフォームの底部に固定されるアジマススラスターであって、
伝動機構を介して回転機構の下方に固定されるスラスターポッドを含み、
作動時、前記伝動機構はスラスターポッドを駆動してピッチングさせ、前記回転機構は、スラスターポッドを駆動して所定の角度まで水平回転させ、伝動機構は、スラスターポッドを駆動して所定の角度までピッチングすることで、船体又はプラットフォームに前後動、左右動、船首動、上下動、横動及び縦動のトルクを発生させ、前記伝動機構は、前記回転機構内に設置される伝動軸と、スラスターポッドに接続される従動軸とを含み、伝動軸を介して前記従動軸を駆動することで、スラスターポッドを駆動してピッチングさせる、ことを特徴とするアジマススラスター。
【請求項６】
前記伝動軸、従動軸は、スラスターポッドとの間に、傘歯車及び／又はウォームギヤを介して協働する、ことを特徴とする請求項５に記載のアジマススラスター。
【請求項７】
船舶であって、
船舶の周囲及び／又は底部に１つ以上の請求項１〜６に記載のアジマススラスターが設けられる、ことを特徴とする船舶。
【請求項８】
浮遊式プラットフォームであって、
浮遊式プラットフォームの周囲及び／又は底部に、１つ以上の請求項１〜６に記載のアジマススラスターが設けられる、ことを特徴とする浮遊式プラットフォーム。
【請求項９】
前記アジマススラスターは一つであり、浮遊式プラットフォームの底部の中軸線箇所に固定される、ことを特徴とする請求項８に記載の浮遊式プラットフォーム。
【請求項１０】
潜水装置であって、
潜水装置の周囲に、１つ以上の請求項１〜６に記載のアジマススラスターが設けられる、ことを特徴とする潜水装置。
【請求項１１】
潜水艦であって、
潜水艦の周囲に、１つ以上の請求項１〜６に記載のアジマススラスターが設けられる、ことを特徴とする潜水艦。
【発明の詳細な説明】
【技術分野】
【０００１】
本発明は、船舶及び海洋事業用プラットフォームに用いられるスラスターに関し、特に、浮体に６自由度方向の力（トルク）を出力できる推進装置に関する。国際特許分類の情報は、「Ｂ処理操作；運輸→Ｂ６３船舶またはその他の水上浮揚構造物；関連艤装品→Ｂ６３Ｈ船舶の推進または操舵→Ｂ６３Ｈ２３／００推進動力設備から推進器への動力伝達→Ｂ６３Ｈ２３／０２機械的伝動装置をもつもの」である。
【背景技術】
【０００２】
船舶及び海洋事業分野において、船舶、海洋プラットフォーム、潜水装置及び潜水艦の動的位置決めに用いられるスラスターは、一般的に水平面内における３つの自由度（前後動、左右動、及び船首動）の力（トルク）だけを出力することができる。しかし、３つの自由度以外のその他の運動（上下動、横動及び縦動）のそれぞれに対しても、スラスターは推進力を出力することで位置決め精度の要件を満たすことができる。環境による影響力が小さい場合、従来の制御方法は、船体、海洋プラットフォームの底部又は潜水装置、潜水艦の周辺に作用するスラスターによる推進力を用いて、縦動又は横動運動を間接的に制御することができる。しかし、環境による負荷が大きい場合、従来の制御方法では、船舶、海洋プラットフォーム又は潜水装置、潜水艦の位置決め精度の要件を満たすことができず、且つ消費エネルギーが急激に増加する。
【０００３】
現在、二重ガイド管ポッドスラスターを採用したスラスター装置があり、このスラスターは、プラットフォーム、船舶又は潜水装置、潜水艦に上下動又は下降上昇を発生させる力を出力できるが、その鉛直方向の推進力は総推進力の一方の分力に過ぎず、他方の分力は対称に配置されることで相殺されるため、エネルギーの無駄が生じる。また、このスラスターには２つのプロペラが必要であり、ロスが生じ、構造の信頼性を低下させる。
【発明の概要】
【発明が解決しようとする課題】
【０００４】
本発明が解決しようとする課題は、従来のスラスターのタイプにおける欠点に対して、船舶、プラットフォーム又は潜水装置、潜水艦に６自由度方向の力（トルク）を出力できるスラスターのタイプを提供することである。スラスターの回転機構と主伝動機構を組み合わせることにより、船舶、プラットフォーム又は潜水装置、潜水艦における、下降上昇、左右、前後、横動、縦動及び船首動方向の自在運動を実現する。
【課題を解決するための手段】
【０００５】
主に、伝動機構を介して回転機構の下方に固定されるスラスターポッドを含み、作動時、前記伝動機構はスラスターポッドを駆動してピッチングさせ、前記回転機構は、スラスターポッドを駆動して所定の角度まで水平回転させ、伝動機構は、スラスターポッドを駆動して所定の角度までピッチングすることで、スラスターポッドに前後動、左右動、船首動、上下動、横動及び縦動のトルクを発生させる。
【０００６】
前記アジマススラスターは、船舶／浮遊式プラットフォーム／潜水装置／潜水艦の姿勢感知システムと組み合わされ、高波状態では船体、プラットフォームの外形特徴に応じて、所定の立体角度まで回転して対応するトルクを発生させることで、船舶／プラットフォーム／潜水装置／潜水艦の安定性を向上させる。
【０００７】
好ましい実施形態として、本発明にはさらに伸縮機構が設けられ、すなわち前記回転機構は、伸縮機構を介して船舶、プラットフォームの底部又は潜水装置、潜水艦に固定される。好ましい実施形態として、油圧シリンダを選択できる。スラスターの使用時、伸縮機構又は油圧シリンダが延伸し、前記アジマススラスターを所定の深度又は予定の作業深度に固定することにより、スラスターポッドが作動しない状態で露出する頻度を減らして、耐用年数を向上させ、船体又はプラットフォームへの特定の抵抗力を低下させる。また、前記姿勢感知システムと組み合わせることで、伸縮機構の作業の過程における伸縮長さを短くして、トルクをより正確に発生させる。
【０００８】
好ましい実施形態として、前記回転機構は、リング歯車を含み、リング歯車は、１つ以上の駆動用歯車によって駆動され、それによりスラスターポッドを駆動して所定の水平方向に回転させる。
【０００９】
スラスターポッドが作動の過程で水平方向の抵抗力を大きく変えることを考慮すると、好ましい実施形態として、前記駆動歯車は複数であり、中心対称又は回転対称に設置され（歯車列の正射影）、転舵の過程で、複数の駆動歯車が共同でリング歯車を駆動して回転させることで、スラスターポッドを駆動して所定の角度まで水平に回転させる。
【００１０】
好ましい実施形態として、前記伝動機構は、チェーン伝動機構であり、前記回転機構の内部に設置され、回転機構に従動して水平に回転可能な主動スプロケット、接続部材内に設置されるチェーン、及びスラスターポッドの両側に設置される従動スプロケットを含む。作動の過程で、主動スプロケットはチェーンを介して従動スプロケットを駆動して前記スラスターポッドのピッチング角度を変化させ、電磁ブレーキ装置を介して、このピッチング角度を固定する。
【００１１】
好ましい実施形態として、前記伝動機構は、伝動軸伝動機構であり、回転機構内部に設置され、回転機構に従動して水平に回転する伝動軸と、鉛直方向に設置され、スラスターポッドを駆動してピッチングさせる従動軸を含む。
【００１２】
さらには、前記伝動軸、従動軸及びスラスターポッドの間は傘歯車及び／又はウォームギヤを介して係合される。
【００１３】
好ましい実施形態として、さらに耐荷重部材を有し、該部材の上端は前記回転機構と剛性接続され、耐荷重部材の下端は電磁ブレーキ装置を介してスラスターポッド表面に接触して接続され、回転機構の下端は、防水装置を介してスラスターポッドと水密接続される。
【００１４】
船舶、潜水装置又は潜水艦であってその周囲に前記アジマススラスターが設けられる。アジマススラスターは、船舶の船尾部、潜水装置又は潜水艦の周囲に選択的に取り付けられる。また、船体側舷の下方箇所にアジマススラスターを対称に設置することを考慮してもよい。通常の航行過程では、側舷のアジマススラスターを収納することで、航行時の抵抗力を減少させる。高波状態又は錨を固定した状態では、側舷のアジマススラスターを延伸して作動させ、前記６方向のトルクを発生させることで、船舶の安定を保持する。
【００１５】
浮遊式プラットフォームであって、プラットフォームの底部に前記アジマススラスターが設けられる。アジマススラスターの取り付け位置及び取り付けの形態は浮遊式プラットフォームのタイプに基づき、必要に応じて選択される。
【００１６】
断面が中心対称又は回転対称である浮遊式プラットフォームにおける技術手段が、例えば、単柱型プラットフォームである場合、浮遊式プラットフォームの底部の幾何学的中心箇所にアジマススラスターを設置することで、鉛直方向の上下動を防止し、横方向のトルクを大きくすることができる。
【００１７】
他の形態の浮遊式プラットフォームにおいては、底部の中央位置を選択する以外にも、浮遊式プラットフォームの側壁又は底部の周囲にアジマススラスターを対称に設置することを考慮でき、姿勢センサと組み合わせることで、浮遊式プラットフォームの安定性を向上させる。
【図面の簡単な説明】
【００１８】
本実用新案の実施例又は従来技術の技術手段をより明確に説明するために、以下に実施例又は従来技術の説明に必要とされる図面を簡単に紹介し、明らかな点として、以下の説明における図面は本実用新案のいくつかの実施例に過ぎず、当業者は創造的な労力を要しない前提で、これらの図面に基づいて他の図面を得ることができる。
【図１】本発明の実施例１に係る構造概略図である。
【図２】本発明のアジマススラスター（実施例１の構造）が船倉内に収納された時の構造概略図である。
【図３】本発明のアジマススラスターの実施例１の側面図である。
【図４】本発明のアジマススラスターの実施例１の正面図である。
【図５】本発明のアジマススラスターが一定の角度に沿って推進力を出力する（実施例１の構造）作動概略図である。
【図６】本発明のアジマススラスターの実施例２の正面図である。
【図７】本発明のアジマススラスターの実施例３の正面図である。
【発明を実施するための形態】
【００１９】
本実用新案の実施例の目的、技術手段及び有益な効果をさらに明確にするために、以下、本実用新案の実施例の添付図面を参照しながら、本発明の実施例に係る技術手段を明確に説明する。
【００２０】
実施例１について、本実施例はアジマススラスターの構造を説明しており、該アジマススラスターを備える船舶、浮遊式プラットフォーム又は潜水装置、潜水艦について、当業者は実際の状況に応じて対応する構造を示すことができる。
【００２１】
図１〜７を参照されたい。
実施例１
【００２２】
アジマススラスターであって、以下の機能を備える。
【００２３】
＜伸縮可能機能＞  油圧シリンダ１０１は全方位回転ホルダー２０１を駆動して昇降運動を実現し、且つ任意の伸長長さでロックすることができる。
【００２４】
＜全方位回転機能＞  第１回転モータ２０２は、全方位回転ホルダー２０１に固定され、第１平歯車２０４を駆動して回転させる。第２回転モータ２０３は、全方位回転ホルダーに対称に固定され、第２平歯車２０５を駆動して回転させる。第１平歯車２０４と第２平歯車２０５は第３平歯車２０６に同時に噛合され（第１、第２平歯車は前記駆動歯車であり、第３平歯車は前記リング歯車である）、第３平歯車２０６を駆動して回転させる。また、第３平歯車２０６は第１ポッド２０７端部の構造に内嵌される。これにより、第３平歯車２０６は第１ポッド２０７の機構を駆動して共に回転させる。さらに、第１ポッド２０７はプロペラ３０５を駆動して回転させその方位角が変化することで、全方位回転機能を実現する。
【００２５】
＜全方向機能＞  メインモータ３０２の出力軸は軸継手３０３を介してプロペラ軸３０４を駆動して回転させる。プロペラ軸３０４は、プロペラハブ３０５を駆動して回転させる。プロペラ羽根３０６は、プロペラハブ３０５に固定して取り付けられ、プロペラ羽根３０６を駆動して回転させる。プロペラガイド管３０７は、接続フレーム３０８を介してスラスターポッド３０１に固定されることで、構造上の安定性を保持する。第１方向調整用モータ３０９は、第１減速機３１０を介して第１主動スプロケット３１１を駆動し、第１チェーン３１２を介して第１従動スプロケット３１３を駆動して回転させ、同時に第２方向調整用モータ３１４は、第２減速機３１５を介して第２主動スプロケット３１６を駆動し、第２チェーン３１７を介して第２従動スプロケット３１８を駆動して回転させる。第１従動スプロケット３１３と第２従動スプロケット３１８は共にそれぞれに剛性固定されるスラスターポッド３０１を駆動して、従動スプロケットの軸線の周囲で回転させることで、水平面に垂直な任意の角度のピッチング角を形成し、第１電磁ブレーキ装置３１９と第２電磁ブレーキ装置３２０を介してスラスターポッドを固定する。同時に第１耐荷重部材３２２と第２耐荷重部材３２３を介してスラスターポッド３０１の鉛直方向の力を受ける。全方位回転機能と組み合わせることにより、プロペラは、任意の方向に推進力を発生させる。
実施例２
【００２６】
アジマススラスターであって、実施例１に記載の技術手段と類似しているが、伝動機構の形式が異なる。
【００２７】
図６に示すように、同様に、対になって設置される第１方向調整用モータ３０９と第２方向調整用モータ３１４を含む。前記２つの方向調整用モータはそれぞれ第１伝動軸４０１と第２伝動軸４１０を駆動して回転させる。２つの前記伝動軸の端部は、それぞれ第１傘歯車セット４０２と第４傘歯車セット４０９（傘歯車セットは伝動軸に設置される水平な傘歯車とそれに設置）を介して、スラスターの伸縮運動方向（一般には鉛直方向）と平行に設置される第１従動軸４０４及び第２従動軸４０７と協働して、２つの前記従動軸を駆動して回転させる。
【００２８】
これに対応して、前記第１従動軸４０４及び第２従動軸４０７の端部に傘歯車が設けられ、スラスター両側に固定される傘歯車と共に、それぞれ第２傘歯車セット４０５及び第３傘歯車セット４０６を構成する。使用状態では、従動軸の回転によって、最終的にスラスターを駆動して、その両側の傘歯車の接続線を軸とするピッチング運動が実現する。
【００２９】
第１従動軸４０４及び第２従動軸４０７の中央部には、それぞれ接続アームのケースに固定される第１軸受４０３と第２軸受４０８が設けられ、それぞれ従動軸を固定する。
【００３０】
実施例３
【００３１】
実施例２と同様に、ウォームギヤ機構を介してスラスターを駆動してピッチング運動を実現する。
【００３２】
動力源とする第１方向調整用モータ３０９と第２方向調整用モータ３１４は、それぞれ第１伝動軸５０１と第２伝動軸５１０を駆動する。第１伝動軸I501と第２伝動軸５１０の端部には、ネジ歯車が設けられ、第１従動軸５０４と第２従動軸５０７の上端部の歯車と係合されることで、２つの従動軸を駆動して回転させる。
【００３３】
同様に、スラスター両側には、それぞれネジ歯車付きウォームギヤが設けられ、２つの前記第１伝動軸５０１及び第２伝動軸５１０の下端の歯車と係合され、従動軸に駆動されることにより、その両側のウォームギヤの接続線を軸とするピッチング運動を実現する。
【００３４】
以下、本発明に係るアジマススラスター、船舶、浮遊式プラットフォーム、潜水装置及び潜水艦が、それらの優れた位置決め効果を保証する状況で、従来のアジマススラスターに比較して、消費エネルギーがより少なくなることをより直感的に説明する。
【００３５】
表２は、現在検証済のポテンシャル流れの汎用境界要素法による数的シミュレーションから得られた南シナ海における年一度の台風による海況（表１参照）において、従来のスラスター及び本発明に記載のアジマススラスター、船舶、浮遊式プラットフォーム、潜水装置及び潜水艦の前後動、上下動、縦動という３自由度方向の運動の最大値、最小値、レンジ、平均値、平均分散値、及び必要なエネルギー消費値を示したものである。表２から分かるように、従来のアジマススラスターと比較すると、本発明に記載のアジマススラスター、船舶、浮遊式プラットフォーム、潜水装置及び潜水艦は、それらの縦動、上下動、及び縦動という３自由度の少ない運動応答を保証する状況で、消費エネルギーが明らかに低下している。従って、本発明における新たな全方向設計により、動的位置決めの過程で必要とされる消費エネルギーが大幅に低下することが示された。
【００３６】
表１  中国の南シナ海における年一度の台風による海況JONSWAPスペクトル(風速21.87m/s)
【表１】
0006982681.tif 000002
【００３７】
表２  従来のアジマススラスターと本発明を位置決め過程に用いた場合の位置決め効果及び消費エネルギーの比較
【表２】
0006982681.tif 000003
【００３８】
上記は本発明の好ましい具体的な実施形態に過ぎず、本発明の保護範囲は前記内容に限定されるものではなく、当業者であれば本発明に開示された技術範囲で、本発明の技術手段及びその発明概念に基づいて同等置換又は変更を行うことができ、それらはいずれも本発明の保護範囲内に含まれる。
【符号の説明】
【００３９】
1、伸縮機構，101、油圧シリンダ，102、油圧シリンダホルダー，2、回転機構，201、回転機構ホルダー，202、第１回転モータ，203、第２回転モータ，204、第１平歯車，205、第２平歯車，206、第３平歯車，207、第１ポッド，208、第１軸受，3、主伝動機構，301、スラスターポッド，302、メインモータ，303、軸継手，304、プロペラ軸，305、プロペラハブ，306、プロペラ羽根，307、プロペラガイド管，308、接続フレーム，309、第１方向調整用モータ，310、第１減速機，311、第１主動スプロケット，312、第１チェーン，313、 第１従動スプロケット，314、第２方向調整用モータ，315、第２減速機，316、第２主動スプロケット，317、第２チェーン，318、第２従動スプロケット，319、第１電磁ブレーキ装置，320、第２電磁ブレーキ装置，321、防水装置，322、第１耐荷重部材，323、第２耐荷重部材，401、第１伝動軸，402、第１傘歯車セット，403、第１軸受，404、第１従動軸，405、第２傘歯車セット，406、第３傘歯車セット，407、第２従動軸，408、第２軸受，409、第４傘歯車セット，410、第２伝動軸，501、第１伝動軸，502、第１ウォームギヤ機構，503、第１軸受，504、第１従動軸，505、第２ウォームギヤ機構，506、第３ウォームギヤ機構，507、第２従動軸，508、第２軸受，509、第４ウォームギヤ機構，510、第２伝動軸。
【図１】
0006982681.tif 000004
【図２】
0006982681.tif 000005
【図３】
0006982681.tif 000006
【図４】
0006982681.tif 000007
【図５】
0006982681.tif 000008
【図６】
0006982681.tif 000009
【図７】
0006982681.tif 000010